(57)【要約】【課題】ＭＡＰの通信品質を向上したい。【解決手段】共通生成部３０は、複数のバーストの割当に関する割当情報を生成する。共通挿入部３２は、生成した割当情報をフレームに挿入する。ＲＦ部２０等は、フレームに挿入した割当情報を報知した後、割当情報にしたがって、バーストを使用しながら、通信対象の無線装置と通信する。個別生成部３４は、既に報知した割当情報に含まれた通信対象の無線装置に対して、バーストの割当に関する個別情報を生成する。個別挿入部３６は、生成した個別情報を当該通信対象の無線装置宛のバーストに挿入する。ＲＦ部２０等は、個別情報にしたがって、バーストを使用しながら、通信対象の無線装置と通信する。【選択図】図４
2009239541.tif 000002
【特許請求の範囲】
【請求項１】
複数のバーストによって形成されたフレームの連続を規定する無線装置であって、
複数のバーストの割当に関する割当情報を生成する生成部と、
前記生成部において生成した割当情報をフレームに挿入する挿入部と、
前記挿入部においてフレームに挿入した割当情報を報知した後、割当情報にしたがって、バーストを使用しながら、通信対象の無線装置と通信する通信部とを備え、
前記生成部は、前記通信部から既に報知した割当情報に含まれた通信対象の無線装置に対して、バーストの割当に関する個別情報を生成し、
前記挿入部は、前記生成部において生成した個別情報を当該通信対象の無線装置宛のバーストに挿入し、
前記通信部は、個別情報にしたがって、バーストを使用しながら、通信対象の無線装置と通信することを特徴とする無線装置。
【請求項２】
前記生成部において生成された割当情報は、通信対象の無線装置単位の情報によって形成されていることを特徴とする請求項１に記載の無線装置。
【請求項３】
前記生成部は、割当情報から、個別情報に対応した部分を除外することを特徴とする請求項１または２に記載の無線装置。
【請求項４】
前記生成部は、前記通信部が通信対象の無線装置との通信に誤りを検出した場合、個別情報の生成を中止し、個別情報に対応すべき部分を割当情報に含めることを特徴とする請求項３に記載の無線装置。
【請求項５】
前記通信部は、通信対象の無線装置へ送信したバーストに対するＡＣＫ信号を受信するまで、当該通信対象の無線装置に対して、フレーム内の相対的な位置が同一のバーストを使用することを特徴とする請求項１から３のいずれかに記載の無線装置。
【請求項６】
複数のバーストによって形成されたフレームの連続を規定しており、複数のバーストの割当に関する割当情報をフレームに挿入してから報知した後、割当情報にしたがって、バーストを使用しながら、通信対象の無線装置と通信する通信方法であって、
既に報知した割当情報に含まれた通信対象の無線装置に対して、バーストの割当に関する個別情報を当該通信対象の無線装置宛のバーストに挿入し、個別情報にしたがって、バーストを使用しながら、通信対象の無線装置と通信することを特徴とする通信方法。
【発明の詳細な説明】
【技術分野】
【０００１】
本発明は、通信技術に関し、特に端末装置にバーストを割り当てる通信方法およびそれを利用した無線装置に関する。
【背景技術】
【０００２】
次世代の無線通信システムでは、高速な伝送速度を実現し、かつ多様なサービス品質を提供することを目標とする。このような無線通信システムのひとつが、ＩＥＥＥ８０２．１６規格に準拠した無線ＭＡＮ（Ｍｅｔｒｏｐｏｌｉｔａｎ  Ａｒｅａ  Ｎｅｔｗｏｒｋ）システムである。これでは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）やＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）が採用されている。
【０００３】
また、無線ＭＡＮシステムでは、フレームの中に複数のバーストを規定し、バーストを端末装置に割り当てることによって、端末装置と基地局装置との通信を実現する。多様なサービス品質を提供するためには、バーストの割当を柔軟に変更する必要がある。それを実現するために、バーストの先頭部分に、共通制御情報が配置される。共通制御情報とは、複数の端末装置に共通的に受信されなければならない情報であり、ＤＬ（Ｄｏｗｎ  Ｌｉｎｋ）  ＭＡＰ、ＵＰ（Ｕｐ  Ｌｉｎｋ）  ＭＡＰが含まれる。例えば、ＤＬ  ＭＡＰには、割り当てたバーストの位置情報が含まれる（例えば、特許文献１参照）。
【特許文献１】特表２００７−５１１９７５号公報
【発明の開示】
【発明が解決しようとする課題】
【０００４】
各バーストは、所定の端末装置へ送信されるので、基地局装置は、バーストに対してビームフォーミングを実行できる。ビームフォーミングによって、アレイ利得を取得でき、通信品質が向上される。一方、ＤＬ  ＭＡＰやＵＰ  ＭＡＰ（以下、「ＭＡＰ」と総称する）は、複数の端末装置へ送信されるので、無指向性で送信される方が好ましい。そのため、ＭＡＰの送信では、アレイ利得が取得できない。ここで、端末装置において、ＭＡＰが正確に受信されないと、データが送信されない。そのため、ＭＡＰの方が、データよりも重要な情報といえる。
【０００５】
本発明はこうした状況に鑑みてなされたものであり、その目的は、ＭＡＰの通信品質を向上する通信技術を提供することにある。
【課題を解決するための手段】
【０００６】
上記課題を解決するために、本発明のある態様の無線装置は、複数のバーストによって形成されたフレームの連続を規定する無線装置であって、複数のバーストの割当に関する割当情報を生成する生成部と、生成部において生成した割当情報をフレームに挿入する挿入部と、挿入部においてフレームに挿入した割当情報を報知した後、割当情報にしたがって、バーストを使用しながら、通信対象の無線装置と通信する通信部とを備える。生成部は、通信部から既に報知した割当情報に含まれた通信対象の無線装置に対して、バーストの割当に関する個別情報を生成し、挿入部は、生成部において生成した個別情報を当該通信対象の無線装置宛のバーストに挿入し、通信部は、個別情報にしたがって、バーストを使用しながら、通信対象の無線装置と通信する。
【０００７】
本発明の別の態様は、通信方法である。この方法は、複数のバーストによって形成されたフレームの連続を規定しており、複数のバーストの割当に関する割当情報をフレームに挿入してから報知した後、割当情報にしたがって、バーストを使用しながら、通信対象の無線装置と通信する通信方法であって、既に報知した割当情報に含まれた通信対象の無線装置に対して、バーストの割当に関する個別情報を当該通信対象の無線装置宛のバーストに挿入し、個別情報にしたがって、バーストを使用しながら、通信対象の無線装置と通信する。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、ＭＡＰの通信品質を向上できる。
【発明を実施するための最良の形態】
【００１０】
本発明を具体的に説明する前に、まず概要を述べる。本発明の実施例は、基地局装置と、少なくともひとつの端末装置によって構成される通信システムに関する。ここで、通信システムは、ＩＥＥＥ８０２．１６規格に準拠した無線ＭＡＮシステムをもとにする。つまり、通信システムでは、複数のフレームが連続しており、各フレームには、複数のバーストが含まれている。また、複数のバーストに対して、ＯＦＤＭＡが適用されることもある。端末装置に対するバーストの割当は任意になされるので、各フレームの先頭部分にＭＡＰが配置されており、複数のバーストの割当情報がＭＡＰに含まれている。前述のごとく、基地局装置は、各バーストにビームフォーミングを適用できるが、ＭＡＰにビームフォーミングを適用できない。そのため、ＭＡＰの通信品質がバーストの通信品質よりも悪化するおそれがある。これに対応するために、本発明の実施例に係る通信システムは、次の処理を実行する。
【００１１】
基地局装置は、新規の端末装置、つまりバーストを割り当てていない端末装置に対して、バーストの割当をＭＡＰにて通知する。つまり、これまでと同様の処理が実行される（以下、「ＭＡＰモード」という）。また、基地局装置は、バーストを割り当てた端末装置に対して、当該端末装置に割り当てたバーストに、次フレーム以後のバーストの割当情報を含める。以下、このようなバーストの割当情報を「個別ＭＡＰ」といい、ＭＡＰモードでのＭＡＰを「共通ＭＡＰ」ということがある。以上の処理の結果、個別ＭＡＰに対してもビームフォーミングが実行される。一方、基地局装置は、個別ＭＡＰに含めた情報を共通ＭＡＰから削減することによって、伝送効率の悪化を抑制する（以下、このような処理を「削減モード」という）。
【００１２】
図１は、本発明の実施例に係る通信システム１００の構成を示す。通信システム１００は、基地局装置１０、端末装置１２と総称される第１端末装置１２ａ、第２端末装置１２ｂ、第Ｎ端末装置１２ｎを含む。
【００１３】
基地局装置１０は、一端に無線ネットワークを介して端末装置１２を接続し、他端に図示しないネットワークを接続する。基地局装置１０は、複数のバーストが含まれた下りサブフレームと、複数のバーストが含まれた上りサブフレームとによって形成されたフレームを規定する。フレームの構成の詳細は後述するが、フレームは、繰り返し配置される。基地局装置１０は、下りサブフレームおよび上りサブフレームに含まれたバーストを端末装置１２に割り当てることによって、端末装置１２と通信する。ここで、新たな端末装置１２にバーストを割り当てるための動作は、ネットワークエントリ処理と呼ばれる。具体的には、基地局装置１０は、共通制御情報を報知しており、端末装置１２は、共通制御情報を受信することによって、基地局装置１０の存在を認識する。
【００１４】
その後、端末装置１２が基地局装置１０に対して、レンジングの要求信号および登録の要求信号を送信し、基地局装置１０は、受信した要求信号に応答して、端末装置１２にバーストを割り当てる。また、基地局装置１０は、端末装置１２に割り当てたバーストに関する情報を送信し、端末装置１２は、割り当てられたバーストを使用しながら、基地局装置１０との通信を実行する。その結果、端末装置１２は、データが含まれたバースト（以下、「データ信号」という）を送信し、当該データ信号は、基地局装置１０を介して、図示しないネットワークに出力され、最終的にネットワークに接続された図示しない通信装置に受信される。また、通信装置から端末装置１２への方向にもデータ信号は伝送される。
【００１５】
図２は、通信システム１００におけるフレーム構成を示す。図２の縦軸は周波数に相当し、横軸は時間に相当する。また、前述のごとく、ＯＦＤＭＡが使用されているので、縦軸の周波数はサブキャリアに対応する。図２に示されるように、ひとつのフレームは、下りサブフレーム、ＴＴＧ（Ｔｒａｎｓｍｉｔ／Ｒｅｃｅｉｖｅ  Ｔｒａｎｓｉｔｉｏｎ  Ｇａｐ）、上りサブフレーム、ＲＴＧ（Ｒｅｃｅｉｖｅ／Ｔｒａｎｓｍｉｔ  Ｔｒａｎｓｉｔｉｏｎ  Ｇａｐ）によって形成される。下りサブフレームは、プリアンブル、つまり既知信号によって開始される。プリアンブルに続いて、ＦＣＨ（Ｆｒａｍｅ  Ｃｏｎｔｒｏｌ  Ｈｅａｄｅｒ）が配置される。ＦＣＨには、プロファイル情報として、ＤＬＦＰ（Ｄｏｗｎｌｉｎｋ  Ｆｒａｍｅ  Ｐｒｅｆｉｘ）、ＤＬ−ＭＡＰのＭＣＳ（Ｍｏｄｕｌａｔｉｏｎ  ａｎｄ  Ｃｏｄｉｎｇ  Ｓｃｈｅｍｅ）レベル、ＤＬ−ＭＡＰの長さが含まれる。
【００１６】
ＤＬ−ＭＡＰには、当該下りサブフレームに含まれた各下りバーストの位置情報および変調方式などのマップ情報が含まれている。ここで、バーストとは、周波数および時間の組合せによって特定されるデータ領域であり、端末装置１２等に割り当てる帯域の単位である。そのため、下りバーストの位置情報は、周波数および時間の組合せによって示される。また、ＵＬ−ＭＡＰには、当該上りサブフレームに含まれた各上りバーストの位置情報および変調方式などのマップ情報が含まれている。これらに続いて、下りサブフレームには、複数の下りバーストが含まれている。複数の下りバーストの配置は、ＤＬ−ＭＡＰにしたがっている。ＤＬ−ＭＡＰおよびＵＬ−ＭＡＰが前述の共通ＭＡＰに相当する。各下りバーストは、端末装置１２に割り当てられ、基地局装置１０から端末装置１２へのユニキャスト通信が実現される。
【００１７】
上りサブフレームも、下りサブフレームと同様に、複数の上りバーストが含まれている。また、レンジング領域が配置されており、レンジング領域において、端末装置１２は、基地局装置１０にレンジングの要求を送信する。ここで、各下りバーストおよび各上りバーストでは、アダプティブアレイ信号処理、つまりビームフォーミングがなされいるものとする。そのため、基地局装置１０は、ＡＡＳ（Ａｄａｐｔｉｖｅ  Ａｒｒａｙ  Ａｎｔｅｎｎａ  Ｓｙｓｔｅｍ）に対応する。なお、その場合、フレーム中にＡＡＳ領域が別途設けられてもよいが、ここでは説明を省略する。
【００１８】
図３は、通信システム１００におけるネットワークエントリ手順を示すシーケンス図である。まず、下りリンクおよび上りリンクでのパラメータの取得処理がなされる。基地局装置１０は、ＤＬ  ＭＡＰとＤＣＤ（Ｄｏｗｎｌｉｎｋ  Ｃｈａｎｎｅｌ  Ｄｅｓｃｒｉｐｔｏｒ）を報知する（Ｓ２００）。ＤＣＤは、下りシンクの物理レイヤ特性を規定するＭＡＣメッセージであり、基地局装置１０がサポートする物理レイヤのプロファイル情報を格納する。このようなＤＣＤは、基地局装置１０から定期的にブロードキャスト送信される。また、基地局装置１０は、ＵＬ  ＭＡＰとＵＣＤ（Ｕｐｌｉｎｋ  Ｃｈａｎｎｅｌ  Ｄｅｓｃｒｉｐｔｏｒ）を報知する（Ｓ２０２）。ＵＣＤは、ＤＣＤと同様に規定される。
【００１９】
次に、初期レンジング処理がなされる。端末装置１２は、基地局装置１０にＲＮＧ−ＲＥＱ（Ｒａｎｇｉｎｇ  Ｒｅｑｕｅｓｔ）を送信する（Ｓ２０４）。ここで、ＲＮＧ−ＲＥＱは、図２でのレンジング領域にて送信される。基地局装置１０は、端末装置１２にＲＮＧ−ＲＳＰ（Ｒａｎｇｉｎｇ  Ｒｅｓｐｏｎｓｅ）を送信する（Ｓ２０６）。このような初期レンジング処理によって、端末装置１２の送信タイミングの調節や送信電力の調節がなされる。なお、送信タイミングの調節や送信電力の調節を実行するための処理として、公知の技術が使用されればよいので、ここでは説明を省略する。次に、基本機能確認処理がなされる。端末装置１２は、基地局装置１０にＳＢＣ−ＲＥＱ（ＳＳ  Ｂａｓｉｃ  Ｃａｐａｂｉｌｉｔｙ  Ｒｅｑｕｅｓｔ）を送信する（Ｓ２０８）。基地局装置１０は、端末装置１２にＳＢＣ−ＲＳＰ（ＳＳ  Ｂａｓｉｃ  Ｃａｐａｂｉｌｉｔｙ  Ｒｅｓｐｏｎｓｅ）を送信する（Ｓ２１０）。
【００２０】
次に、端末認証および鍵交換処理がなされる。端末装置１２は、基地局装置１０にＰＫＭ−ＲＥＱ（Ｐｒｉｖａｃｙ  Ｋｅｙ  Ｍａｎａｇｅｍｅｎｔ  Ｒｅｑｕｅｓｔ）を送信する（Ｓ２１２）。基地局装置１０は、端末装置１２にＰＫＭ−ＲＳＰ（Ｐｒｉｖａｃｙ  Ｋｅｙ  Ｍａｎａｇｅｍｅｎｔ  Ｒｅｓｐｏｎｓｅ）を送信する（Ｓ２１４）。次に、登録処理がなされる。端末装置１２は、基地局装置１０にＲＥＧ−ＲＥＱ（Ｒｅｇｉｓｔｒａｔｉｏｎ  Ｒｅｑｕｅｓｔ）を送信する（Ｓ２１６）。基地局装置１０は、端末装置１２にＲＥＧ−ＲＳＰ（Ｒｅｇｉｓｔｒａｔｉｏｎ  Ｒｅｓｐｏｎｓｅ）を送信する（Ｓ２１８）。次に、ＩＰ設定処理がなされる。基地局装置１０と端末装置１２は、ＩＰ（Ｉｎｔｅｒｎｅｔ  Ｐｒｏｔｏｃｏｌ）設定に関する情報を交換する（Ｓ２２０）。時刻情報設定、追加機能パラメータ取得がなされた後に、基地局装置１０と端末装置１２とは、データ通信を実行する（Ｓ２２２）。
【００２１】
図４は、基地局装置１０の構成を示す。基地局装置１０は、ＲＦ部２０と総称される第１ＲＦ部２０ａ、第２ＲＦ部２０ｂ、第ＮＲＦ部２０ｎ、処理部４０、変復調部２２、ＩＦ部２４、制御部２６を含む。制御部２６は、割当部２８、共通生成部３０、共通挿入部３２、個別生成部３４、個別挿入部３６を含む。
【００２２】
ＲＦ部２０は、受信処理として、図示しない端末装置１２から受信した無線周波数のマルチキャリア信号に対して周波数変換および直交検波を実行し、ベースバンドのマルチキャリア信号を生成する。ここで、マルチキャリア信号は、図２の上りサブフレームに相当する。さらに、ＲＦ部２０は、ベースバンドのマルチキャリア信号を処理部４０に出力する。一般的に、ベースバンドのマルチキャリア信号は、同相成分と直交成分によって形成されるので、ふたつの信号線によって伝送されるべきであるが、ここでは、図を明瞭にするためにひとつの信号線だけを示すものとする。また、ＲＦ部２０には、図示しないＬＮＡ（Ｌｏｗ  Ｎｏｉｓｅ  Ａｍｐｌｉｆｉｅｒ）やＡ／Ｄ（Ａｎａｌｏｇ／Ｄｉｇｉｔａｌ）変換部も含まれる。
【００２３】
ＲＦ部２０は、送信処理として、処理部４０から入力したベースバンドのマルチキャリア信号に対して直交変調および周波数変換を実行し、無線周波数のマルチキャリア信号を生成する。さらに、ＲＦ部２０は、無線周波数のマルチキャリア信号を送信する。なお、ＲＦ部２０は、受信したマルチキャリア信号と同一の無線周波数帯を使用しながら、マルチキャリア信号を送信する。つまり、図２のごとく、ＴＤＤが使用されているものとする。また、ＲＦ部２０には、ＰＡ（Ｐｏｗｅｒ  Ａｍｐｌｉｆｉｅｒ）、Ｄ／Ａ（Ｄｉｇｉｔａｌ／Ａｎａｌｏｇ）変換部も含まれる。
【００２４】
処理部４０は、受信処理として、複数のＲＦ部２０のそれぞれからベースバンドのマルチキャリア信号を入力する。ベースバンドのマルチキャリア信号は、時間領域の信号であるので、処理部４０は、ＦＦＴ（Ｆａｓｔ  Ｆｏｕｒｉｅｒ  Ｔｒａｎｓｆｏｒｍ）によって、時間領域の信号を周波数領域に変換し、周波数領域の信号に対してアダプティブアレイ信号処理を実行する。ここで、アダプティブアレイ信号処理は、端末装置１２単位、つまり上りバースト単位に実行される。なお、アダプティブアレイ信号処理として、公知の技術が使用されればよいので、ここでは詳細な説明を省略するが、処理部４０は、ウエイトベクトルを導出し、ウエイトベクトルをもとにアダプティブアレイ信号処理を実行する。処理部４０は、アダプティブアレイ信号処理の結果を変復調部２２へ出力する。
【００２５】
処理部４０は、送信処理として、変復調部２２から、周波数領域のマルチキャリア信号を入力し、ウエイトベクトルによる分散処理を実行する。当該分散処理が、前述のビームフォーミングに相当する。処理部４０は、分散処理の結果に対して、ＩＦＦＴ（Ｉｎｖｅｒｓｅ  Ｆａｓｔ  Ｆｏｕｒｉｅｒ  Ｔｒａｎｓｆｏｒｍ）によって、周波数領域の信号を時間領域に変換し、変換した時間領域の信号をＲＦ部２０へ出力する。図を明瞭にするために、周波数領域の信号は、サブキャリア番号の順に並べられて、シリアル信号を形成しているものとする。
【００２６】
変復調部２２は、受信処理として、処理部４０からの周波数領域のマルチキャリア信号に対して、復調を実行する。周波数領域に変換したマルチキャリア信号は、複数のサブキャリアのそれぞれに対応した成分を有する。また、復調は、サブキャリア単位でなされる。変復調部２２は、復調した信号をＩＦ部２４に出力する。また、変復調部２２は、送信処理として、変調を実行する。変復調部２２は、変調した信号を周波数領域のマルチキャリア信号として処理部４０に出力する。
【００２７】
ＩＦ部２４は、受信処理として、変復調部２２から復調結果を受けつけ、復調結果を端末装置１２単位に分離する。つまり、復調結果は、図２のごとく、複数のバーストによって構成されている。そのため、ひとつのバーストがひとつの端末装置１２に割り当てられている場合、復調結果には、複数の端末装置１２からの信号が含まれている。ＩＦ部２４は、このような復調結果を端末装置１２単位に分離する。ＩＦ部２４は、分離した復調結果を図示しない有線ネットワークに出力する。その際、ＩＦ部２４は、宛先を識別するための情報、例えば、ＩＰ（Ｉｎｔｅｒｎｅｔ  Ｐｒｏｔｏｃｏｌ）アドレスにしたがって送信を実行する。
【００２８】
また、ＩＦ部２４は、送信処理として、図示しない有線ネットワークから複数の端末装置１２に対するデータを入力する。ＩＦ部２４は、データをバーストに割り当て、複数のバーストからマルチキャリア信号を形成する。つまり、ＩＦ部２４は、図２のごとく、複数のバーストによって構成されるマルチキャリア信号を形成する。なお、データが割り当てられるべきバーストに関する指示は、制御部２６から受けつけるものとする。ＩＦ部２４は、マルチキャリア信号を変復調部２２に出力する。
【００２９】
制御部２６は、通信システム１００全体の動作を制御する。制御部２６は、図２のごとく、複数のバーストによって形成されたフレームの連続を規定する。また、制御部２６は、下りサブフレームの先頭部分に、プリアンブル、ＦＣＨ、ＤＬ  ＭＡＰ、ＵＬ  ＭＡＰを配置するとともに、これらに続いて、複数の下りバーストを配置する。さらに、制御部２６は、上りサブフレームにおいて、複数の上りバーストとレンジング・サブチャネルを配置する。
【００３０】
割当部２８は、図示しない端末装置１２に対してバーストを割り当てる。なお、新規の端末装置１２に対して、割当部２８は、ＲＦ部２０、処理部４０、変復調部２２、ＩＦ部２４を介して、ネットワークエントリ処理を実行する。ネットワークエントリ処理は、図３に示した手順によって実行されればよいので、ここでは説明を省略する。また、割当部２８は、ネットワークエントリ処理の終了後、端末装置１２との間の通信に必要とされる通信速度を取得し、取得した通信速度に応じてバーストの割当を決定する。ここで、バーストの割当は、フレーム単位に実行される。割当部２８は、割当結果からＭＡＰを生成させるために、割当結果を共通生成部３０あるいは個別生成部３４に出力する。前者は、共通ＭＡＰを生成させるための出力であり、後者は、個別ＭＡＰを生成するための出力である。
【００３１】
制御部２６では、ＭＡＰ生成として、３種類のモードが規定されている。ひとつ目が「ＭＡＰモード」であり、ふたつ目が「削減モード」であり、３つ目が「ネゴシエーションモード」である。ＭＡＰモードは、図２の用に示されたＭＡＰ、つまり共通ＭＡＰを生成するモードに相当する。削減モードおよびネゴシエーションモードは、共通ＭＡＰの代わりに、個別ＭＡＰを生成するモードに相当する。ここで、削減モードとネゴシエーションモードとは、個別モードを生成する点において同一であるが、処理のアルゴリズムが相違する。それについては、後述する。
【００３２】
なお、削減モードやネゴシエーションモードであっても、初期の段階、つまりバーストが割り当てられていない端末装置１２に対しては、ＭＡＰモードが実行される。また、制御部２６あるいは割当部２８が、３種類のモードのうちのいずれかを選択し、選択したモードを使用する。また、モードの選択は、端末装置１２単位になされる。例えば、第１端末装置１２ａに対してはＭＡＰモードが使用され、第２端末装置１２ｂに対しては削減モードが使用され、第３端末装置１２ｃに対してはネゴシエーションモードが使用されることもありえる。
【００３３】
なお、ＭＡＰモードから削減モードへ移行するか、あるいはＭＡＰモードからネゴシエーションモードへ移行するかは、制御部２６において決定される。例えば、制御部２６は、上位のレイヤからの指示にしたがって、いずれかを選択する。また、削減モードの場合、次フレームのバースト位置が今回と同一であれば、「Ｍｏｄｅ」が「０ｂ００」に設定され、次フレームのバースト位置が今回と異なれば、「Ｍｏｄｅ」が「０ｂ０１」に設定される。一方、ネゴシエーションモードの場合、「Ｍｏｄｅ」が「０ｂ１０」に設定される。このような「Ｍｏｄｅ」は、後述の共通ＭＡＰや個別ＭＡＰに含まれる。以下では、（１）ＭＡＰモード、（２）削減モード、（３）ネゴシエーションモードの順に説明する。
【００３４】
１．ＭＡＰモード
共通生成部３０は、割当部２８から、複数の端末装置１２に対する複数のバーストの割当結果を受けつける。共通生成部３０は、受けつけた割当結果から、共通ＭＡＰと同一フレームの下りバースト割当結果と、次フレームの上りバースト割当結果を端末装置１２単位に抽出する。また、共通生成部３０は、抽出した割当結果のうち、既に通知した割当結果があれば、当該割当結果を除外する。共通生成部３０は、割当結果をもとに、共通ＭＡＰを生成する。なお、共通ＭＡＰには、割り当てられたバーストの位置情報の他に、ＭＣＳの情報等も含まれる。また、共通ＭＡＰは、前述のごとく、ＤＬ  ＭＡＰとＵＰ  ＭＡＰとによって形成される。
【００３５】
ここで、共通生成部３０において生成された共通ＭＡＰは、端末装置１２単位の情報によって形成されている。図５は、共通生成部３０において生成されるＭＡＰのデータ構造を示す。共通ＭＡＰは、図示のごとく、第１端末装置割当バースト情報、第２端末装置割当バースト情報、第Ｎ端末装置割当バースト情報とを含む。第１端末装置割当バースト情報には、図示しない第１端末装置１２ａに対する同一フレームでの下りバーストの位置情報、次バーストでの上りバーストの位置情報、下りバーストにおいて使用すべきＭＣＳ、上りバーストにおいて使用すべきＭＣＳ等が含まれる。また、第２端末装置割当バースト情報等も同様に構成される。図４に戻る。
【００３６】
共通挿入部３２は、共通挿入部３２から共通ＭＡＰを受けつける。共通挿入部３２は、受けつけた共通ＭＡＰをフレームに挿入する。具体的に説明すると、共通挿入部３２は、図２のごとく、ＤＬ  ＭＡＰおよびＵＬ  ＭＡＰを下りサブフレームの先頭部分に挿入する。制御部２６は、ＩＦ部２４、変復調部２２、処理部４０、ＲＦ部２０を介して、共通ＭＡＰが挿入された下りサブフレームを送信する。ここで、共通ＭＡＰは、報知される。ＲＦ部２０、処理部４０、変復調部２２、ＩＦ部２４は、共通ＭＡＰにしたがって、バーストを使用しながら、図示しない端末装置１２と通信する。
【００３７】
２．削減モード
個別生成部３４は、割当部２８から、複数の端末装置１２に対する複数のバーストの割当結果を受けつける。個別生成部３４は、受けつけた割当結果から、共通ＭＡＰと同一フレームの下りバーストを割り当てている端末装置１２に対する割当結果を抽出する。なお、当該割当結果は、次フレームの下りバースト割当結果と上りバースト割当結果とに相当する。つまり、個別生成部３４は、現在のバーストの割当結果は既に通知しており、次のフレームの割当結果を通知すべき端末装置１２を処理の対象とする。
【００３８】
個別生成部３４は、抽出した割当結果をもとに、個別ＭＡＰを生成する。個別ＭＡＰは、共通ＭＡＰのうち、ひとつの端末装置１２に対する割当結果が選択された構成に相当する。これは、既に報知したＭＡＰに含まれた端末装置１２に対して、次フレームでのバーストの割当に関する個別ＭＡＰを生成することに相当する。このような個別ＭＡＰは、端末装置１２ごとに生成される。個別生成部３４は、生成した個別ＭＡＰを個別挿入部３６へ出力する。
【００３９】
個別挿入部３６は、個別生成部３４から個別ＭＡＰを受けつける。個別挿入部３６は、個別ＭＡＰの宛先となる端末装置１２を特定するとともに、特定した端末装置１２への下りバーストも特定する。個別挿入部３６は、特定した下りバーストに当該個別ＭＡＰを挿入する。図６は、個別挿入部３６において個別ＭＡＰが挿入された下りバーストのフォーマットを示す。図６の上段は、図２に示された複数のバーストのうちのひとつに相当する。図６の下段は、図６の上段に示された下りバーストの構成に相当する。図示のごとく、先頭部分に「個別ＭＡＰ」が配置され、それに続いて「データ」が配置される。
【００４０】
ここで、個別ＭＡＰの部分だけに誤り訂正符号化が施されてもよいし、個別ＭＡＰとデータとの組合せ、つまりバースト全体に対して誤り訂正符号化が施されてもよい。前者であれば、個別ＭＡＰとデータとに対して異なった符号化率および変調方式を適用できる。その結果、個別ＭＡＰの信頼性をデータの信頼性よりも高くできる。後者であれば、特にＣＴＣの場合に、データ長を長くでき、誤り訂正の効果が大きくなる。また、個別ＭＡＰのサイズを可変に設定できる。図４に戻る。
【００４１】
制御部２６は、ＩＦ部２４、変復調部２２、処理部４０、ＲＦ部２０を介して、個別ＭＡＰが挿入されたバーストを送信する。ＲＦ部２０、処理部４０、変復調部２２、ＩＦ部２４は、個別ＭＡＰにしたがって、バーストを使用しながら、図示しない端末装置１２と通信する。なお、個別挿入部３６がバーストに個別ＭＡＰを挿入した場合、共通生成部３０は、共通ＭＡＰから、個別ＭＡＰに対応した部分を除外する。つまり、端末装置１２に対するバーストの割当情報は、共通ＭＡＰおよび個別ＭＡＰのうちのいずれかによって通知される。
【００４２】
なお、削減モードが選択されているときに、ＲＦ部２０、処理部４０、変復調部２２、ＩＦ部２４における端末装置１２との通信に誤りが生じた場合、個別生成部３４は、当該端末装置１２に対する個別ＭＡＰの生成を中止する。さらに、そのような場合に、共通生成部３０は、個別ＭＡＰに対応すべき部分を共通ＭＡＰに含める。つまり、割当部２８は、削減モードからＭＡＰモードへモードを変更する。
【００４３】
３．ネゴシエーションモード
個別生成部３４は、ネゴシエーションモードの場合、削減モードの場合と同様に個別ＭＡＰを生成する。削減モードの場合、個別生成部３４は、次のフレームにおける下りバーストおよび上りバーストの割当情報をもとに個別ＭＡＰを生成する。一方、ネゴシエーションモードの場合、個別生成部３４は、ふたつ先のフレームにおける下りバーストおよび上りバーストの割当情報をもとに個別ＭＡＰを生成する。ここで、ふたつ先のフレームにおける下りバーストおよび上りバーストは、現在のフレームおける下りバーストおよび上りバーストと異なっていてもよい。個別挿入部３６は、削減モードの場合と同様に、個別ＭＡＰを下りバーストに挿入する。
【００４４】
ＩＦ部２４、変復調部２２、処理部４０、ＲＦ部２０は、下りバーストを端末装置１２において送信した後、次のフレームの上りバーストにおいて、当該端末装置１２からのＡＣＫ信号あるいはＮＡＣＫ信号を受信する。なお、ＡＣＫ信号あるいはＮＡＣＫ信号は、前述の下りバーストに対する受信結果に相当する。制御部２６は、ＡＣＫ信号あるいはＮＡＣＫ信号を受けつける。ＡＣＫ信号を受けつけた場合、割当部２８は、既に生成した個別ＭＡＰにしたがって、端末装置１２に対する下りバーストおよび上りバーストを割り当てる。ＲＦ部２０、処理部４０、変復調部２２、ＩＦ部２４は、個別ＭＡＰにて指定したバーストによって、端末装置１２との通信を実行する。その結果、下りバーストおよび上りバーストがそれまで使用していたものと変更されることもある。
【００４５】
一方、ＮＡＣＫ信号を受けつけた場合、割当部２８は、既に生成した個別ＭＡＰの内容にかかわらず、端末装置１２に対して、それまで使用していた下りバーストおよび上りバーストを割り当てる。ここで、それまで使用していた下りバーストおよび上りバーストとは、フレーム内の相対的な位置がそれまで使用した下りバーストおよび上りバーストと同一であるということである。そのため、個別ＭＡＰにおける割当と、実際の割当とが、相違することもある。つまり、割当部２８は、端末装置１２へ送信した下りバーストに対するＡＣＫ信号を受信するまで、当該端末装置１２に対して、フレーム内の相対的な位置が同一のバーストを使用する。このように、ネゴシエーションモードでは、個別ＭＡＰによって仮の割当を端末装置１２へ通知した後、ＡＣＫ信号あるいはＮＡＣＫ信号にしたがって、実際の割当を最終決定する。このような処理遅延を考慮して、ネゴシエーションモードでは、ふたつ先のフレームにおけるバーストの割当情報を含める。
【００４６】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４７】
以上の構成による通信システム１００の動作を説明する。図７は、通信システム１００によるＭＡＰモードでの動作を示す図である。ここでは、基地局装置１０とひとつの端末装置１２との間の処理を示す。図２と同様に、横軸が時間に相当するが、図２と異なり、縦軸は省略される。また、上段の「ＤＬ」が図２の下りサブフレームに相当し、下段の「ＵＬ」が図２の上りサブフレームに相当する。「Ｍ」は、共通ＭＡＰを示し、「Ｄ」は下りバーストを示し、「Ｕ」は上りバーストを示す。図示のごとく、第１フレームから第４フレームまでの４つのフレームが連続して配置されている。
【００４８】
基地局装置１０は、第１フレームの「Ｍ１」において、「Ｄ１」の位置および「Ｕ２」の位置を指定する。また、基地局装置１０は、「Ｄ１」において端末装置１２へデータ信号を送信し、端末装置１２は、「Ｕ２」において基地局装置１０へデータ信号を送信する。つまり、基地局装置１０は、共通ＭＡＰにおいて、同一フレームでの下りバーストの位置を指定し、次フレームでの上りバーストの位置を指定する。基地局装置１０は、第２フレームの「Ｍ２」において、「Ｄ２」の位置および「Ｕ３」の位置を指定する。また、基地局装置１０は、「Ｄ２」において端末装置１２へデータ信号を送信し、端末装置１２は、「Ｕ３」において基地局装置１０へデータ信号を送信する。第３フレーム以後のフレームでも同様の処理が繰り返し実行される。
【００４９】
図８は、通信システム１００でのＭＡＰモードにおいてＭＡＰを受信できなかった場合の再送動作を示す図である。図８での表記は、図７と同様である。また、図８において、「Ｍ１」、「Ｄ１」、「Ｍ２」、「Ｄ２」、「Ｕ２」、「Ｍ３」、「Ｄ３」、「Ｕ３」、「Ｍ４」、「Ｄ４」、「Ｕ４」のそれぞれを配置したタイミングが、「Ｔ１」から「Ｔ１１」と示される。Ｔ１において、基地局装置１０は、Ｍ１を送信するが、端末装置１２は、Ｍ１の受信に失敗する。その結果、端末装置１２は、Ｄ１およびＵ２の位置を取得できない。Ｔ２において、基地局装置１０は、端末装置１２へＤ１を送信するが、端末装置１２は、Ｄ１を受信できない。
【００５０】
Ｔ３において、基地局装置１０は、Ｍ２を送信するが、端末装置１２は、Ｍ２の受信に再び失敗する。その結果、端末装置１２は、Ｄ２およびＵ３の位置を取得できない。Ｔ４において、基地局装置１０は、端末装置１２へＤ２を送信するが、端末装置１２は、Ｄ２を受信できない。Ｔ５において、端末装置１２は、基地局装置１０へＵ２を送信できず、基地局装置１０は、端末装置１２からのＵ２を受信しない。
【００５１】
Ｔ６において、基地局装置１０は、Ｍ３を送信し、端末装置１２は、Ｍ３を受信する。その結果、端末装置１２は、Ｄ３およびＵ４の位置を取得する。Ｔ７において、基地局装置１０は、端末装置１２へＤ３を送信し、端末装置１２は、基地局装置１０からのＤ３を受信する。Ｔ８において、端末装置１２は、基地局装置１０へＵ３を送信できず、基地局装置１０は、端末装置１２からのＵ３を受信しない。
【００５２】
Ｔ９において、基地局装置１０は、Ｍ４を送信し、端末装置１２は、Ｍ４を受信する。その結果、端末装置１２は、Ｄ４およびＵ５の位置を取得する。Ｔ１０において、基地局装置１０は、端末装置１２へＤ４を送信し、端末装置１２は、基地局装置１０からのＤ４を受信する。Ｔ１１において、端末装置１２は、基地局装置１０へＵ４を送信し、基地局
装置１０は、端末装置１２からのＵ４を受信する。ここで、Ｕ４には、Ｄ３に対するＡＣＫ信号が含まれる。
【００５３】
図９は、通信システム１００でのＭＡＰモードにおいてＭＡＰを受信できるがデータに誤りがあった場合の再送動作を示す図である。図９での表記は、図８と同様である。Ｔ１において、基地局装置１０は、Ｍ１を送信し、端末装置１２は、Ｍ１を受信する。その結果、端末装置１２は、Ｄ１およびＵ２の位置を取得する。Ｔ２において、基地局装置１０は、端末装置１２へＤ１を送信し、端末装置１２は、Ｄ１を受信するが、受信したＤ１に誤りが生じる。
【００５４】
Ｔ３において、基地局装置１０は、Ｍ２を送信し、端末装置１２は、Ｍ２を受信する。その結果、端末装置１２は、Ｄ２およびＵ３の位置を取得する。Ｔ４において、基地局装置１０は、端末装置１２へＤ２を送信し、端末装置１２は、基地局装置１０からのＤ２を受信する。Ｔ５において、端末装置１２は、基地局装置１０へＵ２を送信し、基地局装置１０は、端末装置１２からのＵ２を受信する。ここで、Ｕ２には、Ｄ１に対するＮＡＣＫ信号が含まれる。
【００５５】
Ｔ６において、基地局装置１０は、Ｍ３を送信し、端末装置１２は、Ｍ３を受信する。その結果、端末装置１２は、Ｄ３およびＵ４の位置を取得する。Ｔ７において、基地局装置１０は、端末装置１２へＤ３を送信し、端末装置１２は、基地局装置１０からのＤ３を
受信する。ここで、Ｄ３の内容は、Ｄ１の内容と同等であり、Ｄ３は、Ｄ１の再送といえる。
【００５６】
図１０は、通信システム１００による削減モードでの動作を示す図である。図１０での表記は、図７と同様である。基地局装置１０は、第１フレームの「Ｍ１」において、「Ｄ１」の位置および「Ｕ２」の位置を指定する。基地局装置１０は、「Ｄ１」において端末装置１２へデータ信号を送信する。ここで、「Ｄ１」には、個別ＭＡＰが含まれており、個別ＭＡＰによって、「Ｄ２」の位置が指定される。
【００５７】
基地局装置１０は、「Ｄ２」において端末装置１２へデータ信号を送信する。ここで、「Ｄ２」にも、個別ＭＡＰが含まれており、個別ＭＡＰによって、「Ｄ３」および「Ｕ３」の位置が指定される。端末装置１２は、「Ｕ２」において基地局装置１０へデータ信号を送信する。つまり、基地局装置１０は、個別ＭＡＰにおいて、次フレームでの下りバーストの位置および上りバーストの位置を指定する。なお、第２フレームの「Ｍ２」では、端末装置１２に対する下りバーストおよび上りバーストの位置が指定されない。第３フレーム以後のフレームでも同様の処理が繰り返し実行される。
【００５８】
図１１は、通信システム１００での削減モードにおいてＭＡＰを受信できるがデータに誤りがあった場合の再送動作を示す図である。図１１での表記は、図８と同様である。Ｔ１において、基地局装置１０は、Ｍ１を送信し、端末装置１２は、Ｍ１を受信する。その結果、端末装置１２は、Ｄ１およびＵ２の位置を取得する。Ｔ２において、基地局装置１０は、端末装置１２へＤ１を送信し、端末装置１２は、基地局装置１０からのＤ１を受信するが、受信したＤ１に誤りが生じる。ここで、Ｄ１には、個別ＭＡＰが含まれており、個別ＭＡＰによって、「Ｄ２」の位置が指定される。
【００５９】
Ｔ３において、基地局装置１０は、Ｍ２を送信する。しかしながら、Ｍ２によって、端末装置１２に対する下りバーストおよび上りバーストの位置は指定されない。Ｔ４において、基地局装置１０は、端末装置１２へＤ２を送信し、端末装置１２は、基地局装置１０からのＤ２を受信する。また、Ｄ２には、個別ＭＡＰが含まれており、個別ＭＡＰによって、「Ｄ３」および「Ｕ３」の位置が指定される。ここで、端末装置１２は、Ｄ１に含まれた個別ＭＡＰの受信に失敗しているので、Ｄ２の位置を取得できていない。しかしながら、Ｄ２の第２フレーム中の位置は、Ｄ１の第１フレーム中の位置と同一であるので、端末装置１２は、Ｄ２を受信できる。Ｔ５において、端末装置１２は、基地局装置１０へＵ２を送信し、基地局装置１０は、端末装置１２からのＵ２を受信する。ここで、Ｕ２には、Ｄ１に対するＮＡＣＫ信号が含まれる。
【００６０】
Ｔ６において、基地局装置１０は、Ｍ３を送信し、端末装置１２は、Ｍ３を受信する。その結果、端末装置１２は、Ｄ３およびＵ４の位置を取得する。Ｔ７において、基地局装置１０は、端末装置１２へＤ３を送信し、端末装置１２は、基地局装置１０からのＤ３を受信する。ここで、Ｄ３の内容は、Ｄ１の内容と同等であり、Ｄ３は、Ｄ１の再送といえる。また、Ｄ３には、個別ＭＡＰが含まれており、個別ＭＡＰによって、「Ｄ４」および「Ｕ４」の位置が指定される。Ｔ８において、端末装置１２は、基地局装置１０へＵ３を送信し、基地局装置１０は、端末装置１２からのＵ３を受信する。ここで、Ｕ３には、Ｄ２に対するＡＣＫ信号が含まれる。
【００６１】
Ｔ９において、基地局装置１０は、Ｍ４を送信する。しかしながら、Ｍ４によって、端末装置１２に対する下りバーストおよび上りバーストの位置は指定されない。Ｔ１０において、基地局装置１０は、端末装置１２へＤ４を送信し、端末装置１２は、基地局装置１０からのＤ４を受信する。また、Ｄ４には、個別ＭＡＰが含まれており、個別ＭＡＰによって、「Ｄ５」および「Ｕ５」の位置が指定される。Ｔ１１において、端末装置１２は、基地局装置１０へＵ４を送信し、基地局装置１０は、端末装置１２からのＵ４を受信する。ここで、Ｕ４には、Ｄ３に対するＡＣＫ信号が含まれる。
【００６２】
図１２は、通信システム１００での削減モードにおいてＭＡＰを受信できるがデータに誤りがあった場合の別の再送動作を示す図である。図１２での表記は、図８と同様である。Ｔ１において、基地局装置１０は、Ｍ１を送信し、端末装置１２は、Ｍ１を受信する。その結果、端末装置１２は、Ｄ１およびＵ２の位置を取得する。Ｔ２において、基地局装置１０は、端末装置１２へＤ１を送信し、端末装置１２は、基地局装置１０からのＤ１を受信するが、受信したＤ１に誤りが生じる。ここで、Ｄ１には、個別ＭＡＰが含まれており、個別ＭＡＰによって、「Ｄ２」の位置が指定される。なお、Ｄ２の第２フレーム中の位置は、Ｄ１の第１フレーム中の位置と異なっている。
【００６３】
Ｔ３において、基地局装置１０は、Ｍ２を送信する。しかしながら、Ｍ２によって、端末装置１２に対する下りバーストおよび上りバーストの位置は指定されない。Ｔ４において、基地局装置１０は、端末装置１２へＤ２を送信するが、端末装置１２は、基地局装置１０からのＤ２を受信できない。前述のごとく、図１１の場合と異なり、Ｄ２の第２フレーム中の位置は、Ｄ１の第１フレーム中の位置と異なっている。端末装置１２は、Ｄ１に含まれた個別ＭＡＰの受信に失敗しているので、このようなＤ２の位置を取得できていない。Ｔ５において、端末装置１２は、基地局装置１０へＵ２を送信し、基地局装置１０は、端末装置１２からのＵ２を受信する。ここで、Ｕ２には、Ｄ１に対するＮＡＣＫ信号が含まれる。
【００６４】
Ｔ６において、基地局装置１０は、Ｍ３を送信し、端末装置１２は、Ｍ３を受信する。その結果、端末装置１２は、Ｄ３およびＵ４の位置を取得する。Ｔ７において、基地局装置１０は、端末装置１２へＤ３を送信し、端末装置１２は、基地局装置１０からのＤ３を受信する。ここで、Ｄ３の内容は、Ｄ１の内容と同等であり、Ｄ３は、Ｄ１の再送といえる。また、Ｄ３には、個別ＭＡＰが含まれており、個別ＭＡＰによって、「Ｄ４」および「Ｕ４」の位置が指定される。なお、Ｄ３の第３フレーム中の位置は、Ｄ１の第１フレーム中の位置と異なっている。Ｔ８において、端末装置１２は、基地局装置１０へＵ３を送信できず、基地局装置１０は、端末装置１２からのＵ３を受信しない。
【００６５】
Ｔ９において、基地局装置１０は、Ｍ４を送信する。しかしながら、Ｍ４によって、端末装置１２に対する下りバーストおよび上りバーストの位置は指定されない。Ｔ１０において、基地局装置１０は、端末装置１２へＤ４を送信し、端末装置１２は、基地局装置１０からのＤ４を受信する。ここで、Ｄ４の内容は、Ｄ２の内容と同等であり、Ｄ４は、Ｄ２の再送といえる。また、Ｄ４には、個別ＭＡＰが含まれており、個別ＭＡＰによって、「Ｄ５」および「Ｕ５」の位置が指定される。Ｔ１１において、端末装置１２は、基地局装置１０へＵ４を送信し、基地局装置１０は、端末装置１２からのＵ４を受信する。ここで、Ｕ４には、Ｄ３に対するＡＣＫ信号が含まれる。
【００６６】
図１３は、通信システム１００によるネゴシエーションモードでの動作を示す図である。図１３での表記は、図７と同様である。基地局装置１０は、第１フレームの「Ｍ１」において、「Ｄ１」の位置および「Ｕ２」の位置を指定する。基地局装置１０は、「Ｄ１」において端末装置１２へデータ信号を送信する。ここで、「Ｄ１」には、個別ＭＡＰが含まれており、個別ＭＡＰによって、「Ｄ３」の位置が指定される。
【００６７】
基地局装置１０は、「Ｄ２」において端末装置１２へデータ信号を送信する。なお、Ｄ２の第２フレーム中の位置は、Ｄ１の第１フレーム中の位置と同一である。ここで、「Ｄ２」にも、個別ＭＡＰが含まれており、個別ＭＡＰによって、「Ｄ４」および「Ｕ４」の位置が指定される。つまり、基地局装置１０は、個別ＭＡＰにおいて、ふたつ先のフレームでの下りバーストの位置および上りバーストの位置を指定する。端末装置１２は、「Ｕ２」において基地局装置１０へデータ信号を送信する。ここで、データ信号には、端末装置１２は、「Ｄ１」に対するＡＣＫ信号が含まれる。
【００６８】
基地局装置１０は、「Ｄ３」において端末装置１２へデータ信号を送信する。ここで、「Ｄ３」にも、個別ＭＡＰが含まれており、個別ＭＡＰによって、「Ｄ５」および「Ｕ５」の位置が指定される。なお、「Ｕ２」においてＮＡＣＫ信号を受信していれば、基地局装置１０は、「Ｄ３」および「Ｕ３」の位置として、これまでと同一の位置を使用する。一方、「Ｕ２」においてＡＣＫ信号を受信していれば、基地局装置１０は、「Ｄ３」および「Ｕ３」の位置として、これまでの位置を変更してもよい。
【００６９】
図１４は、通信システム１００でのネゴシエーションモードにおいてＭＡＰを受信できるがデータに誤りがあった場合の再送動作を示す図である。図１４での表記は、図８と同様である。Ｔ１において、基地局装置１０は、Ｍ１を送信し、端末装置１２は、Ｍ１を受信する。その結果、端末装置１２は、Ｄ１およびＵ２の位置を取得する。Ｔ２において、基地局装置１０は、端末装置１２へＤ１を送信し、端末装置１２は、基地局装置１０からのＤ１を受信するが、受信したＤ１に誤りが生じる。ここで、Ｄ１には、個別ＭＡＰが含まれており、個別ＭＡＰによって、「Ｄ３」の位置が指定される。なお、Ｄ３の第３フレーム中の位置は、Ｄ１の第１フレーム中の位置と異なっている。
【００７０】
Ｔ３において、基地局装置１０は、Ｍ２を送信する。しかしながら、Ｍ２によって、端末装置１２に対する下りバーストおよび上りバーストの位置は指定されない。Ｔ４において、基地局装置１０は、端末装置１２へＤ２を送信し、端末装置１２は、基地局装置１０からのＤ２を受信する。また、Ｄ２には、個別ＭＡＰが含まれており、個別ＭＡＰによって、「Ｄ４」および「Ｕ４」の位置が指定される。なお、Ｄ２の第２フレーム中の位置は、Ｄ１の第１フレーム中の位置と同一であるが、Ｄ４の第４フレーム中の位置は、Ｄ１の第１フレーム中の位置と異なっている。Ｔ５において、端末装置１２は、基地局装置１０へＵ２を送信し、基地局装置１０は、端末装置１２からのＵ２を受信する。ここで、Ｕ２には、Ｄ１に対するＮＡＣＫ信号が含まれる。
【００７１】
Ｔ６において、基地局装置１０は、Ｍ３を送信する。しかしながら、Ｍ３によって、端末装置１２に対する下りバーストおよび上りバーストの位置は指定されない。Ｔ７において、基地局装置１０は、端末装置１２へＤ３を送信し、端末装置１２は、基地局装置１０からのＤ３を受信する。ここで、Ｄ３の内容は、Ｄ１の内容と同等であり、Ｄ３は、Ｄ１の再送といえる。また、Ｄ３には、個別ＭＡＰが含まれており、個別ＭＡＰによって、「Ｄ５」および「Ｕ５」の位置が指定される。なお、Ｄ３の第３フレーム中の位置は、Ｄ１の第１フレーム中の位置と同一であるが、Ｄ５の第５フレーム中の位置は、Ｄ１の第１フレーム中の位置と異なっている。Ｔ８において、端末装置１２は、基地局装置１０へＵ３を送信し、基地局装置１０は、端末装置１２からのＵ３を受信する。ここで、Ｕ３には、Ｄ２に対するＡＣＫ信号が含まれる。
【００７２】
Ｔ９において、基地局装置１０は、Ｍ４を送信する。しかしながら、Ｍ４によって、端末装置１２に対する下りバーストおよび上りバーストの位置は指定されない。Ｔ１０において、基地局装置１０は、端末装置１２へＤ４を送信し、端末装置１２は、基地局装置１０からのＤ４を受信する。また、Ｄ４には、個別ＭＡＰが含まれており、個別ＭＡＰによって、「Ｄ６」および「Ｕ６」の位置が指定される。なお、Ｄ４の第４フレーム中の位置は、Ｔ８においてＡＣＫ信号を受信したので、Ｄ１の第１フレーム中の位置と異なっている。Ｔ１１において、端末装置１２は、基地局装置１０へＵ５を送信し、基地局装置１０は、端末装置１２からのＵ５を受信する。ここで、Ｕ５には、Ｄ３に対するＡＣＫ信号が含まれる。
【００７３】
図１５は、基地局装置１０における通信手順を示すフローチャートである。割当部２８は、端末番号ｍｍを０に設定する（Ｓ１０）。端末番号ｍｍが最大値ｍａｘＭＳでなく（Ｓ１２のＮ）、帯域要求があり（Ｓ１４のＹ）、初回の割当であれば（Ｓ１６のＹ）、割当部２８は、ｎ＋１フレームの上りバーストを割り当て、共通生成部３０は、ＵＬ  ＭＡＰを生成する（Ｓ２２）。また、初回の割当でなく（Ｓ１６のＮ）、ネゴシエーションモードでなく（Ｓ１８のＮ）、削減モードでなくても（Ｓ２０のＮ）、割当部２８は、ｎ＋１フレームの上りバーストを割り当て、共通生成部３０は、ＵＬ  ＭＡＰを生成する（Ｓ２２）。
【００７４】
削減モードであれば（Ｓ２０のＹ）、割当部２８は、ｎ＋１フレームの上りバーストを割り当て、個別生成部３４は、個別ＭＡＰを生成する（Ｓ２４）。ネゴシエーションモードであれば（Ｓ１８のＹ）、割当部２８は、ｎ＋２フレームの上りバーストを割り当て、個別生成部３４は、個別ＭＡＰを生成する（Ｓ２６）。一方、帯域要求がなければ（Ｓ１４のＮ）、ステップ１６からステップ２６をスキップする。ネットワークからのデータがあり（Ｓ２８のＹ）、初回の割当であれば（Ｓ３２のＹ）、割当部２８は、ｎフレームの下りバーストを割り当て、共通生成部３０は、ＤＬ  ＭＡＰを生成する（Ｓ３８）。
【００７５】
一方、ネットワークからのデータがなく（Ｓ２８のＮ）、ＵＬ用に個別ＭＡＰを作成した場合（Ｓ３０のＹ）、あるいは初回の割当でない場合（Ｓ３２のＮ）、ネゴシエーションモードでなく（Ｓ３４のＮ）、削減モードでなくても（Ｓ３６のＮ）、割当部２８は、ｎフレームの下りバーストを割り当て、共通生成部３０は、ＤＬ  ＭＡＰを生成する（Ｓ３８）。削減モードであれば（Ｓ３６のＹ）、割当部２８は、ｎ＋１フレームの下りバーストを割り当て、個別生成部３４は、個別ＭＡＰを生成する（Ｓ４０）。ネゴシエーションモードであれば（Ｓ３４のＹ）、割当部２８は、ｎ＋２フレームの下りバーストを割り当て、個別生成部３４は、個別ＭＡＰを生成する（Ｓ４２）。
【００７６】
また、ＵＬ用に個別ＭＡＰを作成していない場合（Ｓ３０のＮ）、ステップ３２からステップ４２をスキップする。割当部２８は、端末番号ｍｍに１を加算し（Ｓ４４）、ステップ１２へ戻る。端末番号ｍｍが最大値ｍａｘＭＳであり（Ｓ１２のＹ）、ＵＬ  ＭＡＰの使用があれば（Ｓ４６のＹ）、共通生成部３０は、ｎフレームでのＵＬ  ＭＡＰ割当を通知するために、ＤＬ  ＭＡＰを作成する（Ｓ４８）。一方、ＵＬ  ＭＡＰの使用がなければ（Ｓ４６のＮ）、ステップ４８をスキップして、処理が終了される。
【００７７】
図１６は、端末装置１２における通信手順を示すフローチャートである。端末装置１２は、初割当でなく（Ｓ１００のＮ）、バースト位置の記録がなければ（Ｓ１０２のＮ）、端末装置１２は、ＤＬ  ＭＡＰを受信する（Ｓ１０４）。また、初割当であっても（Ｓ１００のＹ）、端末装置１２は、ＤＬ  ＭＡＰを受信する（Ｓ１０４）。ＵＬ  ＭＡＰがあれば（Ｓ１０６のＹ）、端末装置１２は、ＵＬ  ＭＡＰを受信する（Ｓ１０８）。一方、ＵＬ  ＭＡＰがなければ（Ｓ１０６のＮ）、ステップ１０８はスキップされる。下りバーストがあれば（Ｓ１１０のＹ）、端末装置１２は、下りバーストを受信する（Ｓ１１２）。
【００７８】
なお、バースト位置が記録されている場合（Ｓ１０２のＹ）、端末装置１２は、記録内容にしたがって下りバーストを受信する（Ｓ１１２）。個別ＭＡＰがあり（Ｓ１１４のＹ）、Ｍｏｄｅが０ｂ１０であれば（Ｓ１１６のＹ）、端末装置１２は、現在の下りバースト位置をｎ＋１フレームのバースト位置として記録する（Ｓ１１８）。端末装置１２は、個別ＭＡＰのバースト位置をｎ＋２フレームのバースト位置として記録する（Ｓ１２２）。Ｍｏｄｅが０ｂ１０でなく（Ｓ１１６のＮ）、Ｍｏｄｅが０ｂ００であれば（Ｓ１１８のＹ）、端末装置１２は、個別ＭＡＰのバースト位置をｎ＋１フレームのバースト位置として記録する（Ｓ１２４）。
【００７９】
Ｍｏｄｅが０ｂ００でなければ（Ｓ１１８のＮ）、端末装置１２は、現在の下りバースト位置をｎ＋１フレームのバースト位置として記録する（Ｓ１２６）。個別ＭＡＰがなければ（Ｓ１１４のＮ）、ステップ１１６からステップ１２６はスキップされる。ＵＬ割当があれば（Ｓ１２８のＹ）、端末装置１２は、上りバーストを送信する（Ｓ１３０）。下りバーストがなければ（Ｓ１１０のＮ）、ステップ１３０へスキップする。ＵＬ割当がなければ（Ｓ１２８のＮ）、処理が終了される。
【００８０】
本発明の実施例によれば、共通ＭＡＰとは別に個別ＭＡＰを生成し、個別ＭＡＰをバーストに挿入するので、個別ＭＡＰに対してもビームフォーミングを実行できる。また、個別ＭＡＰに対してもビームフォーミングが実行されるので、個別ＭＡＰの通信品質が向上できる。また、個別ＭＡＰの通信品質が向上するので、データ信号の品質を向上できる。また、共通ＭＡＰが端末装置単位の情報によって形成されているので、個別ＭＡＰと共通ＭＡＰとの切替を容易に実行できる。また、個別ＭＡＰと共通ＭＡＰとが容易に切りかえられるので、通信システムの柔軟性を向上できる。また、共通ＭＡＰから、個別ＭＡＰに対応した部分を除外するので、伝送効率の低下を抑制できる。
【００８１】
また、個別ＭＡＰを使用していても、データ信号での誤りの発生を検出すれば、共通ＭＡＰに戻すので、バースト位置が不明である状況の期間を短縮できる。また、ＡＣＫ信号を受信するまで、フレーム内の相対的な位置が同一のバーストを使用するので、バーストに誤りが生じることによって、個別ＭＡＰが正確に通知できなくても、バースト位置を通知できる。また、バースト位置を通知するので、個別ＭＡＰが正確に通知できなくても、通信品質の悪化を抑制できる。また、ＡＣＫ信号を受信すると、個別ＭＡＰで通知したとおりに、バースト位置を変更するので、バースト割当の自由度を向上できる。
【００８２】
また、共通ＭＡＰ領域のサイズを削減できる。また、共通ＭＡＰ領域のサイズを削減することによって、セルエッジでの共通ＭＡＰ部分の衝突確率を低減できる。また、セルエッジでの共通ＭＡＰ部分の衝突確率が低減されるので、通信のカバレッジを拡大できる。
【００８３】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００８４】
本発明の実施例において、個別生成部３４は、バースト位置に関する情報を個別ＭＡＰに含めている。しかしながらこれに限らず例えば、連続したフレームにおいて、バースト位置が変更しない場合、個別生成部３４は、バースト位置に関する情報の代わりに、その旨を個別ＭＡＰに含めてもよい。本変形例によれば、個別ＭＡＰのサイズを低減できる。
【図面の簡単な説明】
【００８５】
【図１】本発明の実施例に係る通信システムの構成を示す図である。
【図２】図１の通信システムにおけるフレーム構成を示す図である。
【図３】図１の通信システムにおけるネットワークエントリ手順を示すシーケンス図である。
【図４】図１の基地局装置の構成を示す図である。
【図５】図４の共通生成部において生成されるＭＡＰのデータ構造を示す図である。
【図６】図４の個別挿入部において個別ＭＡＰが挿入された下りバーストのフォーマットを示す図である。
【図７】図１の通信システムによるＭＡＰモードでの動作を示す図である。
【図８】図１の通信システムでのＭＡＰモードにおいてＭＡＰを受信できなかった場合の再送動作を示す図である。
【図９】図１の通信システムでのＭＡＰモードにおいてＭＡＰを受信できるがデータに誤りがあった場合の再送動作を示す図である。
【図１０】図１の通信システムによる削減モードでの動作を示す図である。
【図１１】図１の通信システムでの削減モードにおいてＭＡＰを受信できるがデータに誤りがあった場合の再送動作を示す図である。
【図１２】図１の通信システムでの削減モードにおいてＭＡＰを受信できるがデータに誤りがあった場合の別の再送動作を示す図である。
【図１３】図１の通信システムによるネゴシエーションモードでの動作を示す図である。
【図１４】図１の通信システムでのネゴシエーションモードにおいてＭＡＰを受信できるがデータに誤りがあった場合の再送動作を示す図である。
【図１５】図４の基地局装置における通信手順を示すフローチャートである。
【図１６】図１の端末装置における通信手順を示すフローチャートである。
【符号の説明】
【００８６】
１０  基地局装置、  １２  端末装置、  ２０  ＲＦ部、  ２２  変復調部、  ２４  ＩＦ部、  ２６  制御部、  ２８  割当部、  ３０  共通生成部、  ３２  共通挿入部、  ３４  個別生成部、  ３６  個別挿入部、  ４０  処理部、  １００  通信システム。
【図１】
2009239541.tif 000003
【図２】
2009239541.tif 000004
【図３】
2009239541.tif 000005
【図４】
2009239541.tif 000006
【図５】
2009239541.tif 000007
【図６】
2009239541.tif 000008
【図７】
2009239541.tif 000009
【図８】
2009239541.tif 000010
【図９】
2009239541.tif 000011
【図１０】
2009239541.tif 000012
【図１１】
2009239541.tif 000013
【図１２】
2009239541.tif 000014
【図１３】
2009239541.tif 000015
【図１４】
2009239541.tif 000016
【図１５】
2009239541.tif 000017
【図１６】
2009239541.tif 000018